(57)【要約】      （修正有）【課題】ファンヒーターの温風空気取入口のフィルターに付着するゴミを自動的に除去する。【解決手段】ファンヒーター本体９背面の温風空気取入口にマイクロコンピュータの自動制御で回転する台形ギヤ付フィルター４とこれに連動するフィルターゴミ除去装置部３を設ける。くし状ゴミ取り板８を内蔵したカバー５を台形ギヤ付フィルター４の上からさらに温風空気取入口に設ける。【選択図】図１
0003140391.tif 000002
【実用新案登録請求の範囲】
【請求項１】
（ア）  ガス又は石油ファンヒーター本体背面の温風空気取入口の中心部に固定軸１６を設置する。
（イ）  温風空気取入口の中心部の固定軸１６の台形ギヤ付フィルター受部２１に台形ギヤ付フィルター４を設置する。
（ウ）  ファンヒーター本体９背面にフィルター駆動ギヤ６と回転状態検出ギヤ７を設け台形ギヤ付フィルター４の外周ギヤ部に接するように設置する。
（エ）  ファンヒーター本体９の内部に設置された台形ギヤ付フィルター駆動モーター１とフィルター駆動ギヤ６を接続する。
（オ）  ファンヒーター本体９の内部に設置されたフィルター回転状態検出器２と回転状態検出ギヤ７を接続する。
（カ）  固定軸１６の先端部の四角柱部分の内側台座板受部２０に内側台座板１１の四角穴１９を接続する。
（キ）  内側台座板１１の上部にばね１７付の軸受器１３を設置する。
（ク）  内側台座板１１の対面方向に外側台座板１２をファンヒーター本体９背面に設置する。
（ケ）  外側台座板１２に下側台形ギヤ１５を設け台形ギヤ付フィルター４の外周台形ギヤ部と接するように設置する。
（コ）  外側台座板１２に溝穴付の上側台形ギヤ１４を設け下側台形ギヤ１５と接するように設置する。
（サ）  軸受器１３と上側台形ギヤ１４との間にＴ字形の心棒１８が付属する回転ブラシ１０を設置する。
（シ）  カバー５の内側にくし状ゴミ取り板８を設置する。
（ス）  ファンヒーター本体９の背面の温風空気取入口にカバー５を設置する。
（セ）  ファンヒーター本体９に内蔵されたマイクロコンピュータの台形ギヤ付フィルター駆動モーターの制御回路と台形ギヤ１４付フィルター駆動モーター１を接続する。
（ソ）  ファンヒーター本体９に内蔵されたマイクロコンピュータのセンサー信号の分折回路とフィルター回転状態検出器２を接続する。
以上の如く構成されたガス又は石油ファンヒーター温風空気取入口のゴミ取り装置。
【考案の詳細な説明】
【考案の詳細な説明】
【技術分野】
【０００１】この考案はガス又は石油ファンヒーターの温風空気取入口にゴミ取り装置を設けてファンヒーター本体に内蔵されたモーターを、同様にファンヒーター本体に内蔵されたマイクロコンピュータにて回転を制御して暖房運転時に温風空気取入口に付着するゴミを自動的に除去する装置に関するものである。
【背景技術】
【０００２】従来のガス又は石油ファンヒーターは温風空気取入口にゴミ取りフィルターを設けて暖房運転時に温風空気取入口に付着してしまうゴミを除去しファンヒーター本体内部にゴミが進入するのを防いでいた。この場合このまま暖房運転を継続するとフィルターにゴミが多量に蓄積され温風空気取入の障害となりファンヒーター本体内蔵のマイクロコンピュータの制御プログラムによって暖房運転中であっても安全確保のためファンヒーターの暖房運転を停止させていた。このような事象を防止するためにはフィルターに付着したゴミを人手により掃除機やほうき等の用具を使って暖房運転停止時に除去していた。
【考案が解決しようとする課題】
【０００３】この考案はガス又は石油ファンヒーターで居室の暖房を行う場合に温風空気取入口に設置したフィルターに蓄積されるゴミを人手により掃除機やほうき等の用具を使って除去しなければならない煩わしさや、ゴミを除去せずに長時間暖房運転を続けた場合の安全確保のためにファンヒーター本体内蔵のマイクロコンピュータの制御プログラムにより暖房運転を自動停止させてしまう事象を防止するために考案されたものである。
【課題を解決するための手段】
【０００４】この構成を説明すると
（ア）  ガス又は石油ファンヒーター本体背面の温風空気取入口の中心部に固定軸１６を設置する。
（イ）  温風空気取入口の中心部の固定軸１６の台形ギヤ付フィルター受部２１に台形ギヤ付フィルター４を設置する。
（ウ）  ファンヒーター本体９背面にフィルター駆動ギヤ６と回転状態検出ギヤ７を設け台形ギヤ付フィルター４の外周ギヤ部に接するように設置する。
（エ）  ファンヒーター本体９の内部に設置された台形ギヤ付フィルター駆動モーター１とフィルター駆動ギヤ６を接続する。
（オ）  ファンヒーター本体９の内部に設置されたフィルター回転状態検出器２と回転状態検出ギヤ７を接続する。
（カ）  固定軸１６の先端部の四角柱部分の内側台座板受部２０に内側台座板１１の四角穴１９を接続する。
（キ）  内側台座板１１の上部にばね１７が内蔵された軸受器１３を設置する。
（ク）  内側台座板１１の対面方向に外側台座板１２をファンヒーター本体９背面に設置する。
（ケ）  外側台座板１２に下側台形ギヤ１５を設け台形ギヤ付フィルター４の外周台形ギヤ部と接するように設置する。
（コ）  外側台座板１２に溝穴付の上側台形ギヤ１４を設け下側台形ギヤ１５と接するように設置する。
（サ）  軸受器１３と上側台形ギヤ１４との間にＴ字形の心棒１８が付属する回転ブラシ１０を設置する。この時に回転ブラシ１０の心棒１８の直線部分をばね１７が内蔵された軸受器１３側に取り付けて押し込み、ばね１７を縮小させ、回転ブラシ１０の反対側のＴ字形の心棒１８を溝穴付の上側台形ギヤ１４の溝穴部にはめ込むように設置する。
（シ）  カバー５の内側にくし状ゴミ取り板８を設置する。
（ス）  ファンヒーター本体９の背面の温風空気取入口にカバー５を設置する。
（セ）  ファンヒーター本体９に内蔵されたマイクロコンピュータの台形ギヤ付フィルター駆動モーターの制御回路と台形ギヤ付フィルター駆動モーター１を接続する。
（ソ）  ファンヒーター本体９に内蔵されたマイクロコンピュータのセンサー信号の分折回路とフィルター回転状態検出器２を接続する。
（タ）  台形ギヤ付フィルター駆動モーターの制御回路とセンサー信号の分折回路にはそれぞれアドレスデコータ回路が付属し、それぞれの回路にはマイクロコンピュータのアドレスバスとコントロールバスと同期クロック信号が接続される。
（チ）  台形ギヤ付フィルター駆動モーターの制御回路にはアドレスデコーダ回路からの制御信号とマイクロコンピュータのデータバスと同期クロック信号とコントロールバスが接続される。この時、電子回路の設計方法によってはコントロールバスは接続しない場合もある。
（ツ）  センサー信号の分折回路にはアドレスデコータ回路からの制御信号とマイクロコンピュータのデータバスと同期クロック信号とコントロールバスが接続される。この時、電子回路の設計方法によってはコントロールバスは接続しない場合もある。
（テ）  台形ギヤ付フィルター駆動モーターの制御回路には台形ギヤ付フィルター駆動モーター１を回転させるための電源回路が接続される。
（ト）  台形ギヤ付フィルター駆動モーターの制御回路には任意に設計された固定アドレスが割り当てられる。
（ナ）  センサー信号の分折回路にも同様に、任意に設計された固定アドレスが割り当てられる。
（ニ）  ファンヒーターにより居室の暖房を行う場合、ファンヒーター本体９の電源を投入する。この時、ファンヒーター本体９に内蔵されたマイクロコンピュータは、自動的に、同様にファンヒーター本体９に内蔵されたマイクロコンピュータの制御プログラムの内容を読み取り、自動的に起動し、ファンヒーター本体９の制御を開始する。
（ヌ）  ファンヒーター本体９に内蔵されたマイクロコンピュータは、同様にファンヒーター本体９に内蔵されたマイクロコンピュータの制御プログラムに従いファンヒーターの暖房運転を継続する。
（ネ）  ファンヒーター本体９に内蔵の制御プログラムが起動すると、フィルターゴミ除去装置部３の回転ブラシ１０の下側にゴミが蓄積するように台形ギヤ付フィルター４を回転させる。この時、ファンヒーター本体９に内蔵されたマイクロコンピュータのアドレスバスから台形ギヤ付フィルター駆動モーターの制御回路を選択するための信号が出力さる。同様にマイクロコンピュータのデータバスから制御対象である台形ギヤ付フィルター駆動モーター１をどちらの方向に回転させるのか、どれくらいの時間回転させるのか、どれくらいの速度で回転させるのかといった制御信号が出力される。同様にマイクロコンピュータのコントロールバスからは、台形ギヤ付フィルター駆動モーターの制御回路にデータバスからの信号を送信するための制御信号が出力される。
（ノ）  回転ブラシ１０が回転したのちに、ファンヒーター本体９に内蔵されたマイクロコンピュータはアドレスバスにセンサー信号の分折回路を選択するための信号を出力する。同様にマイクロコンピュータのデータバスには、センサー信号の分折回路から出力される台形ギヤ付フィルター４の回転状態を表すデータ信号が出力される。同様にマイクロコンピュータのコントロールバスからは、センサーの分折回路から出力されるデータ信号をマイクロコンピュータのデータバスに送信するための制御信号が出力される。この時、マイクロコンピータのデータバスに出力されたセンサーの分折回路から出力されたデータ信号はマイクロコンピュータ本体内部の演算器に取り込まれてマイクロコンピュータの制御プログラムによって処理され、実際に台形ギヤ付フィルター４が本当に制御プログラムに従って回転しているのかを演算の結果によって判定する。
（ハ）  ファンヒーター本体９に内蔵された制御プログラムに従って回転ブラシ１０が回転している事が確認されると回転ブラシ１０の下側にゴミが蓄積される。この時、カバー５の内側に設置されたくし状ゴミ取り板８によって回転ブラシ１０がクリーニングされてゴミが回転ブラシ１０に巻き付く事象を防止する。この時、くし状ゴミ取り板８の部分に収集されたゴミは人手によってゴミ取り口２２より除去する。また回転ブラシ１０が回転していないとファンヒーター本体９に内蔵されたマイクロコンピュータと制御プログラムにより判定された場合は、安全のため、これもまたマイクロコンピュータの制御プログラムに従って直ちにファンヒーター本体９に内蔵された台形ギヤ付フィルター駆動モーター１を停止させる。この時、マイクロコンピュータのアドレスバスには台形ギヤ付フィルター駆動モーターの制御回路を選択するための信号が出力される。同様にマイクロコンピュータのデータバスから制御対象である台形ギヤ付フィルター駆動モーター１を停止させる制御信号が出力される。また同様にマイクロコンピュータのコントロールバスからは台形ギヤ付フィルター駆動モーターの制御回路にデータバスからの制御信号を送信するための制御信号が出力される。この後にファンヒーター本体９の操作表示パネル部にエラー発生のメッセージを表示させて、異状な状態である事を、使用者に伝える。そして居室の暖房運転を中止する。再度、ファンヒーター本体９の電源を投入しても回転ブラシ１０が回転していないと判定された場合は、同様に操作表示パネル部にエラーメッセージを表示して安全のため暖房運転を停止させる。
（ヒ）  ファンヒーター本体９に内蔵されたマイクロコンピュータの制御プログラムにより台形ギヤ付フィルター４に付着したゴミが、フィルターゴミ除去装置部３とくし状ゴミ取り板８が付属したカバー５によって取り除かれたあとに、燃焼部に燃料を供給し発火させて居室の暖房を行う。暖房運転を終了する場合はファンヒーター本体９の電源をＯＦＦにする。
（フ）  これ以後は、ファンヒーター本体９の電源を投入して居室の暖房運転を行うたびにこれらの一連の動作を繰り返す。
以上のように装置する。
【考案を実施するための最良の形態】
【０００５】この考案は以上のような構造であるので、これを使用する時は通常のガス又は石油ファンヒーターで居室を暖房する時と同じようにファンヒーター本体の電源コードをコンセントに差し込み、ガス又は石油それぞれの燃料をガスファンヒーターはガス管より、石油ファンヒーターは石油タンクに入れてそれぞれのファンヒーターに供給する。その後、ファンヒーター本体の暖房運転起動スイッチをＯＮにする。ファンヒーター本体内部の電子回路に電源が投入されると、同様にファンヒーター本体に内蔵されたマイクロコンピュータが起動し、これもまた同様にファンヒーター本体に内蔵された制御プログラムに従ってマイクロコンピュータはファンヒーター本体の制御を開始する。この後にマイクロコンピュータは制御プログラムに従い、台形ギヤ付フィルター４をフィルターゴミ除去装置部３の回転ブラシ１０の下側にゴミが蓄積される方向に回転させる。台形ギヤ付フィルター４が回転するとこれに接して設置された下側台形ギヤ１５が回転し、下側台形ギヤ１５に接して設置された上側台形ギヤ１４も回転を始める。上側台形ギヤ１４が回転するとこれに接続された回転ブラシ１０が回転する。この回転ブラシ１０によって台形ギヤ付フィルター４の表面に付着したゴミが除去される。カバー５の内部に設置されたくし状ゴミ取り板８によってゴミは回転ブラシ１０に絡みつく事なく収集され溜ったゴミは人手によってゴミ取り口２２より除去する。この後に燃料に着火させて温風送風ファンが回転し暖房運転が開始される。居室の暖房運転を終了する場合は暖房運転停止スイッチをＯＮにする。これ以後は暖房運転起動スイッチがＯＮになるごとにファンヒーター本体９に内蔵されたマイクロコンピュータとその制御プログラムによって一連のこれらの動作を繰り返す。この時、長期間ファンヒーターの暖房運転を続けた場合に回転ブラシ１０が摩耗して台形ギヤ付フィルター４の表面に付着したゴミを除去できなくなった場合は、回転ブラシ１０の心棒１８の直線部分をばね１７が内蔵された軸受器１３側に押し込んでばね１７を縮小させ回転ブラシ１０の反対側のＴ字形の心棒１８を溝穴付の上側台形ギヤ１４より取りはずして、新品の回転ブラシ１０と交換する。そして新品の回転ブラシ１０を取り付ける時は、同様に回転ブラシ１０の心棒１８の直線部分をばね１７が内蔵された軸受器１３側に取り付けて押し込み、ばね１７を縮小させ回転ブラシ１０の反対側のＴ字形の心棒１８を溝穴付の上側台形ギヤ１４の溝穴部にはめ込むように設置する。以上のように使用すれば良い。この時のマイクロコンピュータの制御プログラムとはファンヒーター本体９に内蔵された電子回路基板のＲＯＭ部（リードオンリーメモリー）に記録されている２進数の数値情報の事である。この数値情報そのものがファンヒーターを制御するためのプログラムや制御データである。マイクロコンピュータ本体もこの電子回路基板に設置されている。ファンヒーターを制御する上で、データバスより読み取った温度センサーやフィルター回転状態検出器２のようなその他のセンサー信号のデータや、制御プログラムによって行われた演算の結果など、ファンヒーターを制御する上で必要な情報の一時的な記録場所としてＲＡＭ部（ランダムアクセスメモリー）も同じくこの電子回路基板に設置されている。ファンヒーター使用者にエラーメッセージや暖房運転状態を通知するためにファンヒーター本体９の表側の正面には表示パネル部が設置されている。同じくファンヒーターを操作するためのスイッチ類もファンヒーターの表側正面に設置されている。これらのコンピュータシステムはすでに現存しているファンヒーターに搭載されている装置、設備である。よってこれらのコンピュータシステムに関する事柄は、周知の常識として論ずるものである。
【考案の効果】
【０００６】したがって、このようにすればフィルターゴミ除去装置部３の回転ブラシ１０とカバー５内部のくし状ゴミ取り板８によってマイクロコンピュータ制御により回転する台形ギヤ付フィルター４の表面に付着したゴミが自動的に除去され、長期間にわたり台形ギヤ付フィルター４の表面に付着したゴミを除去せずに暖房運転を続けた場合の、ファンヒーター使用者の人命や安全の確保のための自動暖房運転停止の事象を防止する事が可能となる。また、人手によって掃除機やほうき等の用具を用いてフィルターにゴミが蓄積されるたびに掃除しなければならない煩わしさを解消する事ができ、非常に快適に居室の暖房を行うことが出来るのである。
【図面の簡単な説明】
【図１】本考案の全体分割斜視図である。
【図２】本考案のくし状ゴミ取り板内蔵のカバーの斜視図である。
【図３】本考案のくし状ゴミ取り板の斜視図である。
【図４】本考案のフィルターゴミ除去装置部の拡大正面図である。
【図５】本考案のフィルターゴミ除去装置部の拡大側面図である。
【図６】本考案の軸受器の拡大断面図である。
【図７】本考案の上側台形ギヤの拡大断面図である。
【図８】本考案の上側台形ギヤの斜視図である。
【図９】本考案の回転ブラシの斜視図である。
【図１０】本考案の内側台座板の斜視図である。
【図１１】本考案の固定軸の斜視図である。
【図１２】本考案の全体背面斜視図である。
【図１３】本考案のコンピュータシステムのシステム構成ブロック図である。
【符号の説明】
１    台形ギヤ付フィルター駆動モーター
２    フィルター回転状態検出器
３    フィルターゴミ除去装置部
４    台形ギヤ付フィルター
５    カバー
６    フィルター駆動ギヤ
７    回転状態検出ギヤ
８    くし状ゴミ取り板
９    ファンヒーター本体
１０  回転ブラシ
１１  内側台座板
１２  外側台座板
１３  軸受器
１４  上側台形ギヤ
１５  下側台形ギヤ
１６  固定軸
１７  ばね
１８  心棒
１９  四角穴
２０  内側台座板受部
２１  台形ギヤ付フィルター受部
２２  ゴミ取り口
【図１】
0003140391.tif 000003
【図２】
0003140391.tif 000004
【図３】
0003140391.tif 000005
【図４】
0003140391.tif 000006
【図５】
0003140391.tif 000007
【図６】
0003140391.tif 000008
【図７】
0003140391.tif 000009
【図８】
0003140391.tif 000010
【図９】
0003140391.tif 000011
【図１０】
0003140391.tif 000012
【図１１】
0003140391.tif 000013
【図１２】
0003140391.tif 000014
【図１３】
0003140391.tif 000015